(57)【要約】      （修正有）【課題】コンパクトでスキャン効果が良好なポケットスキャナーを提供する。【解決手段】ポケットスキャナー１００はライトエンジンモジュール１０、回路基板モジュール２０、及び外殻モジュール３０を有する。ライトエンジンモジュール１０は殻体１１を有し、殻体１１の底部にはスキャンウィンドウを開設する。殻体１１のスキャンウィンドウと相対する上部には、スキャンウィンドウに平行でない斜面を設置する。回路基板モジュール２０はメインコントロール回路基板２１、サポートフレーム２２、電池モジュール２３を有し、メインコントロール回路基板２１はライトエンジンモジュール１０の上方に設置され、且つスキャンウィンドウと垂直を呈する。ライトエンジンモジュール１０は回路基板モジュール２０に電気的に連接し、メインコントロール回路基板２１下方には、斜辺２１１を設置する。外殻モジュール３０はライトエンジンモジュール１０及び回路基板モジュール２０外部に蓋をする。【選択図】図３
0003196376.tif 000002
【実用新案登録請求の範囲】
【請求項１】
ポケットスキャナーは、画像情報の走査に用い、ライトエンジンモジュール、回路基板モジュール、及び外殻モジュールを有し、
前記ライトエンジンモジュールは、殻体を有し、
前記殻体の底部には、細長い形状を呈するスキャンウィンドウを開設し、前記スキャンウィンドウの長辺と、前記殻体底部の長辺とは平行で、前記殻体のスキャンウィンドウと相対する上部には、斜面を設置し、前記斜面は前記スキャンウィンドウに平行ではなく、
前記回路基板モジュールは、メインコントロール回路基板、サポートフレーム、電池モジュールを有し、
前記メインコントロール回路基板は、前記ライトエンジンモジュールの上方に設置され、且つ前記スキャンウィンドウと垂直を呈し、
前記ライトエンジンモジュールは回路基板モジュールに電気的に連接し、
前記メインコントロール回路基板上には、スキャンコントローラー、及びイメージプロセッサーを設置し、前記メインコントロール回路基板下方には、前記ライトエンジンモジュールの斜面に対応し、斜辺を設置し、
組み立て時には、前記斜辺は、前記斜面に密着し、前記ライトエンジンモジュールと前記メインコントロール回路基板組み立て後の空間を最小化し、
前記サポートフレームは、前記メインコントロール回路基板片側の、前記ライトエンジンモジュールの上方に設置され、
前記サポートフレームのメインコントロール回路基板に背中を向ける片側には、電池モジュール槽を開設し、電池モジュールは、前記電池モジュール槽内に収容され、前記メインコントロール回路基板に電気的に連接し、前記メインコントロール回路基板のスキャンコントローラー及びイメージプロセッサーに電圧を提供し、
前記外殻モジュールは、前記ライトエンジンモジュール及び前記回路基板モジュール外部に蓋をし、前記外殻モジュールは、下蓋、上蓋、及び２個の側蓋を有し、
前記ライトエンジンモジュールは、前記下蓋上に設置され、前記上蓋は、前記下蓋上に蓋をし、前記２個の側蓋は、下蓋及び上蓋両側に蓋をし、前記下蓋は、前記ライトエンジンモジュールのスキャンウィンドウに対応し、スキャン窓口を開設し、前記ライトエンジンモジュールは、前記スキャン窓口を通してスキャンを行い、
前記スキャン窓口上には、ガラスを設置し、前記ライトエンジンモジュール内への外部の雑物の進入を防止することを特徴とするポケットスキャナー。
【請求項２】
前記回路基板モジュールは、レーザー回路基板をさらに有し、
前記レーザー回路基板は、前記下蓋上に水平に設置し、前記電池モジュールの下方に位置し、前記ライトエンジンモジュールに接近し、
前記レーザー回路基板は、前記メインコントロール回路基板に電気的に連接し、前記レーザー回路基板上には、レーザーモジュールを設置し、前記レーザー回路基板下部には、前記レーザーモジュールに対応し、レンズを設置し、前記下蓋は、前記レーザー回路基板のレンズに対応し、レーザー孔を開設し、
前記レーザー回路基板のレーザーモジュールは、前記レンズ及び前記レーザー孔を通して受け取った情報を、前記メインコントロール回路基板に伝送し、前記ライトエンジンモジュールが受け取った情報にポジショニングを提供することを特徴とする請求項１に記載のポケットスキャナー。
【請求項３】
前記レーザー回路基板下表面には、電源スイッチを設置し、
前記下蓋には、前記レーザー回路基板の電源スイッチに対応し、電源ボタンを設置し、
前記電源ボタンと前記レーザー回路基板とは、前記下蓋上に並列して設置されることを特徴とする請求項２に記載のポケットスキャナー。
【請求項４】
前記回路基板モジュールは、ボタン回路基板をさらに有し、
前記ボタン回路基板は、前記サポートフレーム及び前記ライトエンジンモジュール上方で、且つ前記電池モジュールから離れた一端に水平に設置され、前記メインコントロール回路基板に電気的に連接し、
前記ボタン回路基板上表面には、ボタン、及び少なくとも１個のインジケーターを設置し、
前記外殻モジュールの上蓋は、前記回路基板モジュールのボタン回路基板のボタン、及び前記インジケーターに対応し、スキャンボタンを設置し、
作動時には、前記スキャンボタンを押し、前記回路基板モジュールのボタン回路基板のボタンを動かし、スキャンを行わせ、同時に、前記スキャンボタン下方のインジケーターは点灯し、スキャン作業が進行中であることを示すことを特徴とする請求項１に記載のポケットスキャナー。
【請求項５】
前記外殻モジュールの上蓋は、光案内柱をさらに有し、
前記光案内柱は、前記インジケーターの上方に設置され、且つ前記外殻モジュールの上蓋に収容され、
作動時には、前記光案内柱下方のインジケーターは点灯し、それに対応する作業状態を示すことを特徴とする請求項４に記載のポケットスキャナー。
【請求項６】
前記回路基板モジュールのメインコントロール回路基板上には、通信用プラグをさらに有し、
前記外殻モジュールの上蓋には、前記通信用プラグに対応し、開口を設置し、
前記通信用プラグは、前記開口内に収容されることを特徴とする請求項１に記載のポケットスキャナー。
【請求項７】
前記上蓋は、前記開口位置に、保護蓋を設置し、
前記保護蓋は、前記開口内に収容され、前記通信用プラグ上に蓋をすることを特徴とする請求項６に記載のポケットスキャナー。
【請求項８】
前記回路基板モジュールは、無線伝送回路基板をさらに有し、
前記無線伝送回路基板は、前記ライトエンジンモジュールの、電池モジュールと同一側の側壁上に設置され、且つ前記スキャンウィンドウと垂直を呈し、前記メインコントロール回路基板に電気的に連接し、
前記無線伝送回路基板上には、無線伝送モジュールを設置し、前記無線伝送モジュールを通して、外部設備とデータ交換を行うことを特徴とする請求項１に記載のポケットスキャナー。
【請求項９】
前記外殻モジュールの側蓋は、前記電池モジュールの交換に便利なように、開放式に設計されることを特徴とする請求項１に記載のポケットスキャナー。
【請求項１０】
前記斜面上には、開槽を貫通状に開設し、
前記ライトエンジンモジュールは、反射鏡をさらに有し、
前記反射鏡は、前記斜面の開槽内に設置され、高い側及び低い側を形成し、
前記殻体の反射鏡の高い側が対応する側の内表面には、イメージ回路基板を設置し、
前記イメージ回路基板は、前記回路基板モジュールに電気的に連接し、前記イメージ回路基板は、前記反射鏡の片側に面して、イメージセンサー、及び前記イメージセンサー外部に設置するスキャンレンズを設置し、
前記スキャンレンズは、前記イメージセンサーにおいて、前記スキャンウィンドウ位置の被スキャンドキュメントの画像情報にフォーカスし、
前記イメージセンサーは、受け取った画像情報を、電圧信号に転換し、前記回路基板モジュールに出力し、
前記殻体のスキャンウィンドウ、反射鏡、及びイメージ回路基板が位置する側面が隣り合う側には、光源回路基板を設置し、
前記光源回路基板と前記スキャンウィンドウは垂直で、前記回路基板モジュールに電気的に連接し、
前記光源回路基板内側には、光源を設置し、前記光源が発する光は、前記ライトエンジンモジュールの殻体内部に向かい、且つ光の一部は、前記殻体のスキャンウィンドウを通過し、前記ライトエンジンモジュールの殻体を照射することを特徴とする請求項１に記載のポケットスキャナー。
【考案の詳細な説明】
【技術分野】
【０００１】
本考案はスキャナーに関し、特にポケットスキャナーに関する。
【背景技術】
【０００２】
従来のハンドヘルドリニアスキャナーにおいて、光学部材は、直線を呈して配列される。そのため、イメージの水平線は、同一時間或いは同一プロセス内にスキャンを完成させる必要があり、その光学イメージ部材の長さは、規格に定義されたスキャンの長さより、長い必要がある。よって、製品はすべて長方形を呈し、持ち歩きに不利である。
【０００３】
従来のマウス型スキャナーには、二次元アレイ式光学感知イメージ部材、及び位置センサーを配備する。各スキャンプロセスで得られたすべての二次元イメージは、スキャン時に読み取られ、得られた相対位置情報を依拠とし、ソフトウエアにより、すべての小さなイメージを貼り合せて大きなイメージとする。これにより、製品の長さを大幅に縮減することができるが、マウス外形、製品の長さ、幅、高さの三次元を有し、操作のニーズに応える必要があるばかりか、ライトエンジン及び回路基板を収容しなければならない。中でもライトエンジン中の光学構造、及び外殻の形状は、製品の外形サイズに対して重要な影響を有する。
【考案の概要】
【考案が解決しようとする課題】
【０００４】
本考案の目的は、上述の周知の不足に対して、携帯に便利なポケットスキャナーを提供することにある。
【課題を解決するための手段】
【０００５】
上述の目的を実現するため、本考案によるポケットスキャナーは、ライトエンジンモジュール、回路基板モジュール、及び外殻モジュールを有する。
該ライトエンジンモジュールは、殻体を有し、該殻体の底部には、細長い形状を呈するスキャンウィンドウを開設し、該スキャンウィンドウの長辺と、該殻体底部の長辺とは平行で、該殻体のスキャンウィンドウと相対する上部には、斜面を設置し、該斜面は該スキャンウィンドウに平行ではない。
該回路基板モジュールは、メインコントロール回路基板、サポートフレーム、電池モジュールを有する。
該メインコントロール回路基板は、該ライトエンジンモジュールの上方に設置され、且つ該スキャンウィンドウと垂直を呈する。該メインコントロール回路基板上には、スキャンコントローラー、及びイメージプロセッサーを設置し、該メインコントロール回路基板下方には、該ライトエンジンモジュールの斜面に対応し、斜辺を設置する。該斜辺は、該斜面に密着し、該ライトエンジンモジュールと該メインコントロール回路基板組み立て後の空間を最小化する。
該サポートフレームは、該メインコントロール回路基板片側の、該ライトエンジンモジュールの上方に設置され、該サポートフレームのメインコントロール回路基板に背中を向ける片側には、電池モジュール槽を開設する。
電池モジュールは、該電池モジュール槽内に収容され、該メインコントロール回路基板に電気的に連接し、該メインコントロール回路基板のスキャンコントローラー及びイメージプロセッサーに電圧を提供する。
該外殻モジュールは、該ライトエンジンモジュール及び該回路基板モジュール外部に蓋をし、該外殻モジュールは、下蓋、上蓋、及び２個の側蓋を有する。
該ライトエンジンモジュールは、該下蓋上に設置され、該上蓋は、該下蓋上に蓋をし、該２個の側蓋は、下蓋及び上蓋両側に蓋をし、該下蓋は、該ライトエンジンモジュールのスキャンウィンドウに対応し、スキャン窓口を開設し、該ライトエンジンモジュールは、該スキャン窓口を通してスキャンを行う。該スキャン窓口上には、ガラスを設置し、該ライトエンジンモジュール内への外部の雑物の進入を防止する。
【考案の効果】
【０００６】
本考案のポケットスキャナーは、ライトエンジンモジュールの殻体に斜面を設置することで、回路基板モジュールのメインコントロール回路基板は、ライトエンジンモジュールの斜面に対応し、斜辺を設置し、組み立て時には、斜辺は斜面に密着し、ライトエンジンモジュールとメインコントロール回路基板との組み立て後の空間を確実に最小化することができ、こうして本考案ポケットスキャナーはコンパクトになり、携帯の便が向上する。
【図面の簡単な説明】
【０００７】
【図１】本考案の一実施形態によるポケットスキャナーの立体図である。
【図２】図１に示すポケットスキャナーの別の角度の立体図である。
【図３】図１に示すポケットスキャナーの立体分解図である。
【図４】図１に示すポケットスキャナーのライトエンジンモジュールの立体分解図である。
【考案を実施するための形態】
【０００８】
以下に本考案の技術内容、構造特徴、達成する目的及び作用効果について、以下に例を挙げ並びに図面を組み合わせて詳細に説明する。
【０００９】
図３に示すとおり、本考案の実施形態によるポケットスキャナー１００は、画像情報の走査に用い、ライトエンジンモジュール１０、回路基板モジュール２０、及び外殻モジュール３０を有する。
【００１０】
図１〜図４に示すとおり、ライトエンジンモジュール１０は、殻体１１を有する。殻体１１の底部には、細長い形状を呈するスキャンウィンドウ（図示なし）を開設する。スキャンウィンドウの長辺と、殻体１１底部の長辺とは平行である。殻体１１のスキャンウィンドウと相対する上部には、斜面１１１を設置する。斜面１１１は、スキャンウィンドウに平行ではない。斜面１１１上には、開槽１１２を貫通状に開設する。
ライトエンジンモジュール１０は、反射鏡１２をさらに有する。反射鏡１２は、斜面１１１の開槽１１２内に設置され、高い側１２１及び低い側１２２を形成する。反射鏡１２は、光路の配置方向の改変に用いられる。
殻体１１の、反射鏡１２の高い側１２１が対応する側の内表面には、イメージ回路基板１３を設置する。イメージ回路基板１３は、回路基板モジュール２０に電気的に連接する。
イメージ回路基板１３は、反射鏡１２の片側に面して、イメージセンサー１３１、及びイメージセンサー１３１外部に設置するスキャンレンズ１３２を設置する。スキャンレンズ１３２は、イメージセンサー１３１において、スキャンウィンドウ位置の被スキャンドキュメントの画像情報にフォーカスする。イメージセンサー１３１は、受け取った画像情報を、電圧信号に転換し、回路基板モジュール２０に出力する。
殻体１１のスキャンウィンドウ、反射鏡１２、及びイメージ回路基板１３が位置する側面が隣り合う側には、光源回路基板１４を設置する。光源回路基板１４とスキャンウィンドウは垂直で、回路基板モジュール２０に電気的に連接する。
光源回路基板１４内側には、光源１５を設置する。光源１５が発する光は、ライトエンジンモジュール１０の殻体１１内部に向かい、且つ光の一部は、殻体１１のスキャンウィンドウを通過し、ライトエンジンモジュール１０の殻体１１を照射する。
本実施形態において、光源１５は３個のＬＥＤライトにより構成され、その位置はイメージの最適化分析により決定され、こうしてスキャンウィンドウ中において最も均一な照度分布を達成することができる。
【００１１】
回路基板モジュール２０は、メインコントロール回路基板２１、サポートフレーム２２、電池モジュール２３を有する。
メインコントロール回路基板２１は、ライトエンジンモジュール１０の上方に設置され、且つスキャンウィンドウと垂直を呈する。メインコントロール回路基板２１上には、スキャンコントローラー（図示なし）、及びイメージプロセッサー（図示なし）を設置する。メインコントロール回路基板２１下方には、ライトエンジンモジュール１０の斜面１１１に対応し、斜辺２１１を設置する。組み立て時には、斜辺２１１は、斜面１１１に密着し、ライトエンジンモジュール１０とメインコントロール回路基板２１組み立て後の空間を最小化する。
サポートフレーム２２は、メインコントロール回路基板２１片側の、ライトエンジンモジュール１０の上方に設置される。サポートフレーム２２のメインコントロール回路基板２１に背中を向ける片側には、電池モジュール槽２２１を開設する。
電池モジュール２３は、電池モジュール槽２２１内に収容され、メインコントロール回路基板２１に電気的に連接し、メインコントロール回路基板２１のスキャンコントローラー及びイメージプロセッサーに電圧を提供する。
本実施形態では、電池モジュール２３は、充電電池モジュールである。
【００１２】
回路基板モジュール２０は、ボタン回路基板２４をさらに有する。ボタン回路基板２４は、サポートフレーム２２及びライトエンジンモジュール１０上方で、且つ電池モジュール２３から離れた一端に水平に設置され、メインコントロール回路基板２１に電気的に連接する。ボタン回路基板２４上表面には、ボタン２４１、及び少なくとも１個のインジケーター２４２を設置する。
【００１３】
回路基板モジュール２０は、無線伝送回路基板２５をさらに有する。無線伝送回路基板２５は、ライトエンジンモジュール１０の、電池モジュール２３と同一側の側壁上に設置され、且つスキャンウィンドウと垂直を呈し、メインコントロール回路基板２１に電気的に連接する。無線伝送回路基板２５上には、無線伝送モジュール２５１を設置し、無線伝送モジュール２５１を通して、外部設備とデータ交換を行う。
本実施形態において、無線伝送モジュール２５１は、ブルートゥースモジュールである。
【００１４】
外殻モジュール３０は、ライトエンジンモジュール１０及び回路基板モジュール２０外部に蓋をし、下蓋３１、上蓋３２、及び２個の側蓋３３を有する。
ライトエンジンモジュール１０は、下蓋３１上に設置される。下蓋３１は、ライトエンジンモジュール１０のスキャンウィンドウに対応し、スキャン窓口３１１を開設する。ライトエンジンモジュール１０は、スキャン窓口３１１を通してスキャンを行う。スキャン窓口３１１上には、ガラスを設置し、外部の雑物の、ライトエンジンモジュール１０内への進入を防止する。
回路基板モジュール２０は、レーザー回路基板２６をさらに有する。レーザー回路基板２６は、下蓋３１上に水平に設置し、電池モジュール２３の下方に位置し、ライトエンジンモジュール１０の反射鏡１２の低い側１２２一端に接近する。レーザー回路基板２６は、メインコントロール回路基板２１に電気的に連接する。レーザー回路基板２６上には、レーザーモジュール２６１を設置する。レーザー回路基板２６下表面には、電源スイッチ２６２を設置する。レーザー回路基板２６下部には、レーザーモジュール２６１に対応し、レンズ２６３を設置する。
下蓋３１は、レーザー回路基板２６のレンズ２６３に対応し、レーザー孔３１３を開設する。
レーザー回路基板２６のレーザーモジュール２６１は、レンズ２６３及びレーザー孔３１３を通して受け取った情報を、メインコントロール回路基板２１に伝送し、ライトエンジンモジュール１０が受け取った情報にポジショニングを提供する。下蓋３１には、レーザー回路基板２６の電源スイッチ２６２に対応し、電源ボタン３１４を設置する。電源ボタン３１４とレーザー回路基板２６とは、下蓋３１上に並列して設置される。
【００１５】
外殻モジュール３０上の上蓋３２は、下蓋３１上に蓋をする。外殻モジュール３０の上蓋３２は、回路基板モジュール２０のボタン回路基板２４のボタン２４１、及びインジケーター２４２に対応し、スキャンボタン３２１を設置する。ポケットスキャナー１００のスキャン時には、スキャンボタン３２１を押し、回路基板モジュール２０のボタン回路基板２４のボタン２４１を動かし、スキャンを行わせる。同時に、スキャンボタン３２１下方のインジケーター２４２は点灯し、スキャン作業が進行中であることを示す。
本実施形態では、スキャンボタン３２１は、回路基板モジュール２０のサポートフレーム２２上方に固定され、且つ外殻モジュール３０の上蓋３２において動くことができる。外殻モジュール３０の上蓋３２は、光案内柱３２２をさらに有する。光案内柱３２２は、インジケーター２４２の上方に設置され、且つ外殻モジュール３０の上蓋３２に収容される。無線伝送モジュール２５１を通過してデータを伝送し、或いは外部電源を利用し電池モジュール２３に充電する時には、光案内柱３２２下方のインジケーター２４２は点灯し、それに対応する作業状態を示す。
【００１６】
回路基板モジュール２０のメインコントロール回路基板２１上には、通信用プラグ２１２をさらに有する。ポケットスキャナー１００は、通信用プラグ２１２を通して、外部設備とデータの交換を行うことができる。外殻モジュール３０の上蓋３２には、通信用プラグ２１２に対応し、開口３２３を設置する。通信用プラグ２１２は、開口３２３内に収容される。上蓋３２は、保護蓋３２４をさらに有する。保護蓋３２４は、開口３２３内に収容され、通信用プラグ２１２上に蓋をする。
【００１７】
外殻モジュール３０の２個の側蓋３３は、下蓋３１及び上蓋３２両側に蓋をする。
本実施形態では、外殻モジュール３０の側蓋３３は、電池モジュール２３の交換に便利なように、開放式に設計される。
【００１８】
本実施形態では、電気的に連接されるすべての回路基板上には、コネクター２７を設置し、接続コード２８を通して、コネクター２７と電気的に連接される。
【００１９】
上記を総合すると、本考案のポケットスキャナー１００は、ライトエンジンモジュール１０の殻体１１に斜面１１１を設置することで、回路基板モジュール２０のメインコントロール回路基板２１は、ライトエンジンモジュール１０の斜面１１１に対応し、斜辺２１１を設置し、組み立て時には、斜辺２１１は斜面１１１に密着し、ライトエンジンモジュール１０とメインコントロール回路基板２１との組み立て後の空間を確実に最小化することができ、こうして本考案ポケットスキャナー１００はコンパクトになり、携帯の便が向上する。
【符号の説明】
【００２０】
１００  ポケットスキャナー
１１  殻体
１１１  斜面
１１２  開槽
１２  反射鏡
１２１  高い側
１２２  低い側
１３  イメージ回路基板
１３１  イメージセンサー
１３２  スキャンレンズ
１４  光源回路基板
１５  光源
２０  回路基板モジュール
２１  メインコントロール回路基板
２１１  斜辺
２１２  通信用プラグ
２２  サポートフレーム
２２１  電池モジュール槽
２３  電池モジュール
２４  ボタン回路基板
２４１  ボタン
２４２  インジケーター
２５  無線伝送回路基板
２５１  無線伝送モジュール
２６  レーザー回路基板
２６１  レーザーモジュール
２６２  電源スイッチ
２６３  レンズ
２７  コネクター
２８  接続コード
３０  外殻モジュール
３１  下蓋
３１１  スキャン窓口
３１２  ガラス
３１３  レーザー孔
３１４  電源ボタン
３２  上蓋
３２１  スキャンボタン
３２２  光案内柱
３２３  開口
３２４  保護蓋
３３  側蓋
【図１】
0003196376.tif 000003
【図２】
0003196376.tif 000004
【図３】
0003196376.tif 000005
【図４】
0003196376.tif 000006